(57)【要約】【課題】効率よく安全に土砂等の充填作業を補助できる簡易で合理的な土のう袋等の可撓性袋の開口自立保持具を提供すること。【解決手段】矩形の弾性を有するシート状部材１であって、該シート状部材１を短辺方向を軸方向として円筒形状に丸めて可撓性袋Ｐ内に入れ、該袋Ｐ内においてシート状部材１をその弾性力によって円筒形状を維持させたまま径を拡開させ、該拡開させた円筒形状のシート状部材１によって可撓性袋Ｐの口Ｍを開いた状態にすると共に可撓性袋Ｐを自立させることを特徴とする可撓性袋の開口自立保持具とした。【選択図】  図２
0003170771.tif 000002
【実用新案登録請求の範囲】
【請求項１】
矩形の弾性を有するシート状部材であって、該シート状部材を短辺方向を軸方向として円筒形状に丸めて可撓性袋内に入れ、該袋内においてシート状部材をその弾性力によって円筒形状を維持させたまま径を拡開させ、該拡開させた円筒形状のシート状部材によって可撓性袋の口を開いた状態にすると共に可撓性袋を自立させることを特徴とする、可撓性袋の開口自立保持具。
【請求項２】
上記シート状部材が、ポリプロピレン樹脂により形成されていることを特徴とする、請求項１に記載の可撓性袋の開口自立保持具。
【請求項３】
上記シート状部材の一方の長辺に沿って、取っ手となる複数の穴が穿設させていることを特徴とする、請求項１または２に記載の可撓性袋の開口自立保持具。
【請求項４】
上記穴が、円形であることを特徴とする、請求項３に記載の可撓性袋の開口自立保持具。
【請求項５】
上記シート状部材の他方の長辺の角部が、アール形状とされていることを特徴とする、請求項１〜４のいずれかに記載の可撓性袋の開口自立保持具。
【請求項６】
上記シート状部材の短辺方向の中央付近に、充填量の目安と帯状のマーカーが付されていることを特徴とする、請求項１〜５のいずれかに記載の可撓性袋の開口自立保持具。
【請求項７】
上記可撓性袋が、土のう袋であることを特徴とする、請求項１〜６のいずれかに記載の可撓性袋の開口自立保持具。
【考案の詳細な説明】
【技術分野】
【０００１】
本考案は、可撓性袋、例えば土のう袋、ゴミ袋、ポリ袋、レジ袋などの撓み易い素材で作られた袋を、開口した状態で且つ自立した状態に保持する可撓性袋の開口自立保持具に関するものである。
【背景技術】
【０００２】
本件の考案者等は、２０１１年３月１１日に発生した東北大震災の救援活動として、瓦礫の撤去活動を行なった。この活動内容は、被災した各家々に出向き、家の中や床下、庭先、畑などに埋もれる瓦礫を土のう袋に入れて運び出す作業であった。
土のう袋に瓦礫を入れる作業は、土のう袋の口を開ける担当の者と、その土のう袋の中へスコップで土砂等を投入する担当の者との二人がペアになって行われる。この場合、土のう袋の口開け担当者は、両手で土のう袋の口縁部を持ってその口を広げるが、土のう袋の口を左右に引く状態となるために長細い開口となってしまい、その開口面積を大きく取ることが難しいものであった。このため、土砂等の投入担当者は、土砂等を素早く好適に土のう袋内に投入することが難しかしく、また、急いで作業をすると、スコップの先が土のう袋の口開け担当者の腕や手へ当たってしまい、怪我をさせてしまう場合もあった。
【０００３】
一方、上記した作業内容を考慮し、土のう袋を、開口した状態で且つ自立した状態に保持する補助具も種々提案されている。
例えば、特許文献１には、略筒状の外郭部と、この外郭部の下側に設けられた切欠部を有する無底容器形状の補助具が開示されている。また、特許文献２には、土のう袋の開口部の大きさに対応する寸法を有する環状体と、この環状体から下方に延設した複数本の脚部材とからなる補助具が開示されている。さらに、特許文献３には、側壁板によって周りが囲まれて上下には開口する枠本体と、該枠本体の側壁板の外面部に設けられた一対の持ち上げ用の取手部を具備する土のう充填用器具が開示されている。
【先行技術文献】
【特許文献】
【０００４】
【特許文献１】実用新案登録第３０８３０１８号公報
【特許文献２】実用新案登録第３１１８２９４号公報
【特許文献１】特開２００７−１７００９２号公報
【考案の開示】
【考案が解決しようとする課題】
【０００５】
上記した補助具は、いずれも土のう袋内に入れられ、該土のう袋を開口した状態で且つ自立した状態に保持し、土砂等の袋詰め作業を一人で行なうことを可能としたものではあるが、その土のう袋等への装着に手間がかかったり、また保管、搬送に際して大きなスペースを必要とすること等の理由から、その活用が十分に行なわれていなかったのが現状であった。
【０００６】
そこで、本考案の目的は、より効率よく安全に土砂等の充填作業を補助できる簡易で合理的な土のう袋等の可撓性袋の開口自立保持具を提供することにある。
なお、本件は、特許制度を活用して広く世の中に本考案に係る可撓性袋の開口自立保持具を伝播し、災害復興支援活動においてその活用を促進させることを主目的とするものであり、災害復興支援活動においての本考案の土のう袋に対しての実施は、何ら妨げるものではなく、自由に無償で行なえるものとする。
【課題を解決するための手段】
【０００７】
上記した目的を達成するため、本考案は、次の（１）〜（７）の可撓性袋の開口自立保持具とした。
（１）矩形の弾性を有するシート状部材であって、該シート状部材を短辺方向を軸方向として円筒形状に丸めて可撓性袋内に入れ、該袋内においてシート状部材をその弾性力によって円筒形状を維持させたまま径を拡開させ、該拡開させた円筒形状のシート状部材によって可撓性袋の口を開いた状態にすると共に可撓性袋を自立させることを特徴とする、可撓性袋の開口自立保持具。
（２）上記シート状部材が、ポリプロピレン樹脂により形成されていることを特徴とする、上記（１）に記載の可撓性袋の開口自立保持具。
（３）上記シート状部材の一方の長辺に沿って、取っ手となる複数の穴が穿設させていることを特徴とする、上記（１）または（２）に記載の可撓性袋の開口自立保持具。
（４）上記穴が、円形であることを特徴とする、上記（３）に記載の可撓性袋の開口自立保持具。
（５）上記シート状部材の他方の長辺の角部が、アール形状とされていることを特徴とする、上記（１）〜（４）のいずれかに記載の可撓性袋の開口自立保持具。
（６）上記シート状部材の短辺方向の中央付近に、充填量の目安と帯状のマーカーが付されていることを特徴とする、上記（１）〜（５）のいずれかに記載の可撓性袋の開口自立保持具。
（７）上記可撓性袋が、土のう袋であることを特徴とする、上記（１）〜（６）のいずれかに記載の可撓性袋の開口自立保持具。
【考案の効果】
【０００８】
上記した本考案に係る可撓性袋の開口自立保持具によれば、シート状部材を円筒形状に丸めて袋内に挿入する作業のみでその装着が可能となるため、使用方法がいたって簡易であり、始めての人でも容易に使用することができる。また、保管、搬送に際しては、単なるシート状のものであるために嵩張らず、乗用車等でも楽にその保管、搬送ができる。このようなことから、本考案に係る可撓性袋の開口自立保持具は、緊急時、例えば震災の救援活動として瓦礫等を土のう袋に充填する際などに、該土のう袋の開口自立保持具として極めて有効に用いることができるものである。
【図面の簡単な説明】
【０００９】
【図１】本考案に係る可撓性袋の開口自立保持具の一実施の形態を示した正面図である。
【図２】図１に示した可撓性袋の開口自立保持具の使用状態を示した斜視図である。
【図３】図１に示した可撓性袋の開口自立保持具を袋に挿入し易いように丸めた状態を示した斜視図である。
【図４】図１に示した可撓性袋の開口自立保持具を袋内に挿入する状態を示した斜視図である。
【図５】図１に示した可撓性袋の開口自立保持具を使用して口が開き且つ自立した状態にある土のう袋に土砂等を入れる作業を示した斜視図である。
【図６】土砂等を充填した後に土のう袋から図１に示した可撓性袋の開口自立保持具を抜き出す作業を示した斜視図である。
【図７】土砂等を充填し、口を紐で縛った土のう袋を示した斜視図である。
【考案を実施するための形態】
【００１０】
以下、上記した本考案に係る可撓性袋の開口自立保持具の実施の形態を、図面を示して詳細に説明する。
【００１１】
図１は、本考案に係る可撓性袋の開口自立保持具の一実施の形態を示した正面図であり、該図面に示したように、本考案に係る可撓性袋の開口自立保持具は、矩形のシート状部材１により構成されている。このシート状部材１の材質は、弾性を有する合成樹脂、具体的には、ポリプロピレン樹脂により形成されている。ポリプロピレン樹脂は、適度な弾性を有するとともに、耐薬品性、耐水・耐油性、耐摩耗性に優れ、しかも摩擦抵抗も少ないために好適に用いられる。
【００１２】
シート状部材１の寸法は、使用される可撓性袋の大きさによって当然変更されるが、土のう袋の開口自立保持具として使用するものである場合には、その寸法は、長辺が９７０ｍｍ程度、短辺が４３０ｍｍ程度、厚さが０．７５ｍｍ程度の矩形のものとされる。
【００１３】
シート状部材１には、その長辺に沿って取っ手となる複数の穴２が穿設させている。図示した実施の形態においては、二本の指が入る直径３５ｍｍ程度の円形穴２が、長辺に沿って等間隔をあけて５個形成されている。取っ手を円形の穴２とすることにより、形成が容易であるとともに、木片、ガラス片などの瓦礫が引っ掛かり難いものとなる。
【００１４】
また、シート状部材１の下方の長辺の角部３は、直径１００ｍｍ程度の大きなアール形状とされている。これにより、可撓性袋への挿入の際に、該角部３が引っ掛かり難いものとなる。また、シート状部材１の上方の長辺の角部４にも、面取り程度の小さなアールが施されている。これは、取り扱い時の安全性のためである。
【００１５】
さらに、シート状部材１の短辺方向の中央付近には、充填量の目安と帯状のマーカー５が付されている。より具体的には、図示した実施の形態においては、シート状部材１の短辺方向下から２５０ｍｍ程度に位置に、幅５０ｍｍ程度の帯状のマーカー５が、長辺方向の全幅に亘って付されている。この帯状マーカー５の下端まで土砂等を充填した場合には、その充填量は概ね２０ｋｇ程度となり、帯状マーカー５の上端まで土砂等を充填した場合には、概ね２５ｋｇ程度となる。
【００１６】
本考案は、上記した構成のシート状部材１を短辺方向を軸方向として円筒形状に丸めて可撓性袋Ｐ内に入れ、該袋Ｐ内においてシート状部材１をその弾性力によって円筒形状を維持させたまま径を拡開させ、該拡開させた円筒形状のシート状部材１によって、図２に示したように、可撓性袋Ｐの口Ｍを開いた状態にするとともに、可撓性袋Ｐを自立させるものである。
【００１７】
上記した本考案に係る可撓性袋の開口自立保持具の使用方法を、土のう袋において使用する場合について詳細に説明する。
【００１８】
先ず、本考案に係る上記シート状部材１を、帯状のマーカー５が付されている面が内側となるように長辺方向に丸め、直径１５０ｍｍ程度の短辺方向を軸方向とした円筒形状とする。そして、図３に示したように、重なり合う円形穴２に指を挿し込み、片手で円筒形状としたシート状部材１を持つ。
【００１９】
続いて、他方の手で土のう袋Ｐの口Ｍを開いた状態とし、図４に示したように、円筒形状に丸めたシート状部材１を土のう袋Ｐ内に入れる。この際、シート状部材１の角部３は、大きなアール形状とされているため、土のう袋Ｐの内壁面に引っ掛かることなく、スムースに入れることができる。
【００２０】
続いて、土のう袋Ｐ内に入れた状態で、円筒形状に丸めたシート状部材１から手を放せば、シート状部材１は、その弾性力によって円筒形状を維持したまま径を拡開させ、土のう袋Ｐの内壁面に密着した円筒形状となる。これにより、図２に示したように、土のう袋Ｐは、口Ｍを開き且つ自立した状態となる。
【００２１】
続いて、口Ｍを開き、自立した状態にある土のう袋Ｐ内に、図５に示したように、スコップＳ等によって土砂Ｇを入れる。この際、土のう袋Ｐの内壁面は、シート状部材１によって保護された状態となるので、土砂Ｇ中に木片、ガラス片等がある場合においても、これらが土のう袋Ｐを突き破って外部にはみ出すことはない。また、シート状部材１に付された帯状のマーカー５を目安に土砂Ｇを入れることにより、定量の充填が可能となる。
【００２２】
続いて、土砂Ｇを充填した土のう袋Ｐから、図６に示したように、重なり合う円形穴２とその対角にある円形穴２とに指を入れ、シート状部材１を引き上げる。この際、シート状部材１は、凹凸のないフラットなものであると共に摩擦抵抗の少ないポリプロピレン樹脂により形成されているため、スムースに引き抜くことができる。
【００２３】
続いて、土のう袋Ｐの口に付いている紐Ｋを引っ張り、口元を握り拳程度の大きさとし、図７に示したように、紐Ｋを口元に回して結び閉じ、土のうを完成させる。使用したシート状部材１は、必要に応じて洗い、広げた状態で保管し、再使用する。
【００２４】
以上、本考案に係る可撓性袋の開口自立保持具の実施の形態を説明したが、本考案は、何ら既述の実施の形態に限定されるものではなく、実用新案登録請求の範囲に記載した本考案の技術的思想の範囲内において、種々の変形、変更を加えたものとすることができることは当然である。
【００２５】
例えば、上記実施の形態においては、可撓性袋として土のう袋を挙げ、該土のう袋の好適な開口自立保持具の形体及び使用方法を説明したが、本考案は、例えばレジ袋をそのままゴミ箱として使用する場合においても好適に用いることができる。この場合には、例えば長辺が７００ｍｍ程度、短辺が３００ｍｍ程度、厚さが０．５ｍｍ程度の矩形のシート状部材とし、該シート状部材を短辺方向を軸方向として円筒形状に丸めてレジ袋内に入れ、該レジ袋内においてシート状部材をその弾性力によって円筒形状を維持させたまま径を拡開させ、該拡開させた円筒形状のシート状部材によってレジ袋の口を開いた状態にするとともにレジ袋を自立させ、そのままゴミ箱として利用すればよい。
【符号の説明】
【００２６】
１    シート状部材
２    円形穴
３    角部
４    角部
５    帯状マーカー
Ｐ    可撓性袋（土のう袋）
Ｍ    口
Ｋ    紐
Ｓ    スコップ
Ｇ    土砂
【図１】
0003170771.tif 000003
【図２】
0003170771.tif 000004
【図３】
0003170771.tif 000005
【図４】
0003170771.tif 000006
【図５】
0003170771.tif 000007
【図６】
0003170771.tif 000008
【図７】
0003170771.tif 000009